(57)【要約】【課題】結束作業が簡単であり作業効率を向上させ、パイプ材と溝部材との結束後も邪魔となることが無い結束金具を提供することである。【解決手段】パイプ材Ｐと溝８を備えた溝部材Ｆとを結束する結束金具において、溝部材Ｆの溝８に引掛けられてパイプ材Ｐを抑える係止片２と、溝部材Ｆの溝８に引掛けられるとともに係止片２に引掛り係止片２を溝部材Ｆ側へ引き付ける引付片３とを備えてなる。【選択図】図１
2008154558.tif 000002
【特許請求の範囲】
【請求項１】
パイプ材と溝を備えた溝部材とを結束する結束金具において、溝部材の溝に引掛けられてパイプ材を抑える係止片と、溝部材の溝に引掛けられるとともに係止片に引掛り係止片を溝部材側へ引き付ける引付片とを備えてなることを特徴とする結束金具。
【請求項２】
係止片は、一端側に設けた溝部材の溝に引掛かるフック部と、他端側に設けたパイプ材を噛みこんで溝部材側へ向けて押圧する歯部と、引付片に引掛かる爪部とを備えてなる請求項１に記載の結束金具。
【請求項３】
係止片の一端側がパイプ材の挿通を許容する切欠によって二股状とされるとともに、係止片の他端が一端側へ向けて彎曲されるとともに他端中央部に歯部が形成され、当該他端における両端が外方へ向けて彎曲されて爪部が形成されることを特徴とする請求項２に記載の結束金具。
【請求項４】
係止片の一端側がパイプ材の挿通を許容する切欠によって二股状とされるとともに、係止片の他端が一端側へ向けて彎曲されるとともに他端中央部に歯部が形成され、当該他端の一部を外方へ切り起して爪部が形成されることを特徴とする請求項２に記載の結束金具。
【請求項５】
引付片は、一端側に設けた溝部材の溝に引掛かるフック部と、係止片に引掛かる係合部と、中央部に設けられてパイプ材の側方からの挿通を許容する切欠とを備えてなることを特徴とする請求項１から４のいずれかに記載の結束金具。
【請求項６】
引付片の他端がフック部に対向する方向に彎曲されて係合部が形成され、当該係合部の先端は、切欠側へ向かうほど先細りとなるように傾斜されてなることを特徴とする請求項５に記載の結束金具。
【請求項７】
引付片のフック部の先端は、切欠側へ向かうほど先細りとなるように傾斜されてなることを特徴とする請求項６に記載の結束金具。
【請求項８】
引付片の形状が切欠の中央を中心にして線対称となる形状に設定されてなることを特徴とする請求項７に記載の結束金具。
【発明の詳細な説明】
【技術分野】
【０００１】
本発明は、パイプ材と溝を備えた溝部材とを結束する結束金具の改良に関する。
【背景技術】
【０００２】
一般に植物を育成するパイプハウスにあっては、たとえば、アーチ状パイプ材に透明または半透明な合成樹脂シートを屋根面、側面または妻面に展張する必要がある。
【０００３】
そして、上記シートのパイプハウスへの固定に際しては、開口部が巾狭とされて溝が形成される溝フレームを用い、この溝フレーム内にシートを挿入し、シートを弾性な波形の係止線条で溝フレームの側部内周側に押圧するとしている。
【０００４】
すなわち、パイプハウスにシートを展張するには、溝フレームをパイプ材に結束して固定する必要があるが、このようなパイプ材と溝フレームとの結束に当たっては、従来から結束金具が使用されている。
【０００５】
この結束金具としては、たとえば、溝フレームの背面に形成した溝に係合する一対の係合片でパイプ材を抱持し、各係合片の先端に設けたフックを入子式に組み合わせて当該フックに楔を打ち込んで係合片同士をパイプ材側へ引き付けるようにしてパイプ材と溝フレームとを結束するもの（たとえば、特許文献１中図１、図４および図５参照）や、溝フレームの背面に形成した溝に係合する一対の係合片でパイプ材を抱持し、各係合片の先端に設けたボルト取付部同士をボルトとナットとで締結し係合片同士をパイプ材側へ引き付けるようにしてパイプ材と溝フレームとを結束するもの（たとえば、特許文献１中図６参照）、さらには、溝フレームの背面に形成した溝に引掛かる側面略コ字状の係合片でパイプ材を抱持し、パイプ材と係合片との間に楔を打ち込んでパイプ材を溝フレーム側へ押圧してパイプ材と溝フレームとを結束するものが知られている（たとえば、特許文献１中図７参照）。
【特許文献１】特開２００２−３０５９８８号公報
【発明の開示】
【発明が解決しようとする課題】
【０００６】
上記従来の結束金具は、パイプ材と溝フレームとを結束することができる点で有用ではあるが、以下の弊害があると指摘される可能性がある。
【０００７】
すなわち、特許文献１における図１や図６に示された結束金具では、各係合片を溝フレームに係合する際には、溝に係合する係合部を溝に沿わせて溝内に挿入し、それから係合部を９０度回転させる必要があり、これら係合片でパイプ材を抱持した状態に維持しつつ、楔を打ち込んだりボルトおよびナットで係合片同士を締結したりする必要があるため、結束作業が煩雑であり、作業効率が良くない。
【０００８】
また、特許文献１における図７に示された結束金具では、係合片を溝フレームに引掛ける際には、両端に設けたフック同士の間隔を溝の幅より狭くなるようにに押圧して上記各フックを溝内に挿入する必要があり、係合片でパイプ材を抱持した状態に維持しつつ、楔を打ち込む必要があるため、結束作業が煩雑であり、作業効率が良くない。
【０００９】
さらに、上記した従来の結束金具では、パイプ材と溝フレームとを結束後に、係合片のほかに楔またはボルトとナットといった係合片先端から外方へ突出して邪魔となる。
【００１０】
そこで、本発明の目的は、上記不具合を改善するために創案されたものであって、結束作業が簡単であり作業効率を向上させ、パイプ材と溝部材との結束後も邪魔となることが無い結束金具を提供することである。
【課題を解決するための手段】
【００１１】
本発明の第一の課題解決手段は、パイプ材と溝を備えた溝部材とを結束する結束金具において、溝部材の溝に引掛けられてパイプ材を抑える係止片と、溝部材の溝に引掛けられるとともに係止片に引掛り係止片を溝部材側へ引き付ける引付片とを備えてなることを特徴とする。
【００１２】
本発明の第二の課題解決手段は、第一の課題解決手段において、係止片は、一端側に設けた溝部材の溝に引掛かるフック部と、他端側に設けたパイプ材を噛みこんで溝部材側へ向けて押圧する歯部と、引付片に引掛かる爪部とを備えてなる。
【００１３】
本発明の第三の課題解決手段は、第二の課題解決手段において、係止片の一端側がパイプ材の挿通を許容する切欠によって二股状とされるとともに、係止片の他端中央部がフック部に対向する方向に彎曲されて歯部が形成され、当該他端の両端が歯部とは逆方向に彎曲されて爪部が形成されることを特徴とする。
【００１４】
本発明の第四の課題解決手段は、第二の課題解決手段において、係止片の一端側がパイプ材の挿通を許容する切欠によって二股状とされるとともに、係止片の他端が一端側へ向けて彎曲されるとともに他端中央部に歯部が形成され、当該他端の一部を外方へ切り起して爪部が形成されることを特徴とする。
【００１５】
本発明の第五の課題解決手段は、第一から第四の課題解決手段において、引付片は、一端側に設けた溝部材の溝に引掛かるフック部と、係止片に引掛かる係合部と、中央部に設けられパイプ材の側方からの挿通を許容する切欠とを備えてなることを特徴とする。
【００１６】
本発明の第六の課題解決手段は、第五の課題解決手段において、引付片の他端がフック部に対向する方向に彎曲されて係合部が形成され、当該係合部の先端は、切欠側へ向かうほど先細りとなるように傾斜されてなることを特徴とする。
【００１７】
本発明の第七の課題解決手段は、第六の課題解決手段において、引付片のフック部の先端は、切欠側へ向かうほど先細りとなるように傾斜されてなることを特徴とする。
【００１８】
本発明の第八の課題解決手段は、第七の課題解決手段において、引付片の形状が切欠の中央を中心にして線対称となる形状に設定されてなることを特徴とする。
【発明の効果】
【００１９】
各請求項の発明によれば、係止片と引付片の二つの部材でパイプ材と溝部材とを結束するようになっており、係止片を溝部材に引掛けたのち引付片を係止片と溝部材とに引掛けることでパイプ材と溝部材とを結束することができるので、結束作業が非常に容易となり、結束に当たって楔またはボルトとナットといった結束金具から外方へ突出して邪魔となる部品が無い。
【００２０】
請求項２の発明によれば、係止片の他端に歯部を設けているので、当該歯部でパイプ材を噛みこんで溝部材側へ向けて押圧することができ、パイプ材に対する接触面圧を高めて溝部材に対してパイプ材がずれてしまうような事態を確実に防止することが可能となる。
【００２１】
さらに、請求項３の発明によれば、係止片の一端側に切欠が設けられ、係止片でパイプ材を抱持する格好となるので、パイプ材と溝部材の結束がより強固となる。
【００２２】
また、請求項４の発明によれば、係止片の一端側がパイプ材の挿通を許容する切欠によって二股状とされるとともに、係止片の他端が一端側へ向けて彎曲されるとともに他端中央部に歯部が形成され、当該他端の一部を外方へ切り起して爪部が形成されるので、爪部を係止片へ設ける加工が容易となるとともに加工コストも低減されるという優れた効果を奏することが出来る。
【００２３】
そして、請求項５の発明によれば、引付片が溝部材の溝に引掛かるフック部と、係止片に引掛かる係合部と、パイプ材の側方からの挿入を許容する切欠とを備えており、引付片を溝部材の溝に引掛けてから係止片の側方から溝部材上をスライドさせることで係合部を係止片に引掛けて、係止片を溝部材側へ引き付けることができるので、結束作業がより一層簡単となり作業時間も短縮される。
【００２４】
また、請求項６の発明によれば、引付片における係合部の先端が切欠側へ向かうほど先細りとなるように傾斜されていることから、これが楔効果をもたらして、係止片側へ係合部が侵入すればするほど、係止片を溝部材側へ引き付けるように作用するので、係合部の係止片へ引掛けることが容易で、係止片の溝部材側への引付力をより高めることができ、パイプ材と溝部材との結束を確実かつより強固にすることができる。
【００２５】
さらに、請求項７の発明によれば、引付片における係合部に加えてフック部の先端も切欠側へ向かうほど先細りとなるように傾斜されていることから、フック部と上記係合部とが機能的に互換性を備えることになり、引付片をパイプ材の両側のどちら側からでも取り付けることができるようになって、結束作業が非常に簡単となる。
【００２６】
そして、請求項８の発明によれば、引付片の形状が切欠の中央を中心にして形状が線対称となるようになっているので、フック部と上記係合部とに機能上の互換性を持たせる場合にあっても、切欠の幅をパイプ材の挿入が可能となる限りにおいて短く設定することができるので引付片の強度面で有利となる。
【発明を実施するための最良の形態】
【００２７】
以下、本発明を図１から図５に示した実施の形態に基づいて説明する。図１は、パイプ材と溝部材とを結束した状態における一実施の形態の結束金具の斜視図である。図２は、一実施の形態の結束金具における係止片の斜視図である。図３は、溝部材の斜視図である。図４は、一実施の形態の結束金具における引付片の斜視図である。図５は、パイプ材と他の溝部材とを結束した状態における結束金具の斜視図である。図６は、パイプ材と別の溝部材とを結束した状態における結束金具の斜視図である。図７は、一実施の形態の一変形例の結束金具における係止片の斜視図である。図８は、一実施の形態の一変形例の結束金具における引付片の斜視図である。
【００２８】
本発明の実施の形態における結束金具１は、図１に示すように、溝部材Ｆの溝８に引掛けられてパイプ材Ｐを抑える係止片２と、溝部材Ｆの溝８に引掛けられるとともに係止片２に引掛り係止片２を溝部材Ｆ側へ引き付ける引付片３とを備えて構成されている。
【００２９】
つまり、この結束金具１は、この場合、溝部材Ｆの溝８がある方を正面として溝部材Ｆの背面側をパイプ材Ｐへ対面させ、係止片２と引付片３の二つの部材でパイプ材Ｐと溝部材Ｆとを結束するようになっている。そして、係止片２を溝部材Ｆに引掛けたのち引付片３を係止片２と溝部材Ｆとに引掛けることでパイプ材Ｐと溝部材Ｆとを結束することができるので、結束作業が非常に容易となり、結束に当たって楔またはボルトとナットといった結束金具１から外方へ突出して邪魔となる部品が無い。
【００３０】
そして、特に、パイプハウスのパイプ材Ｐとシート定着用の溝部材とを結束する場合には、楔またはボルトとナットといった結束金具１から外方へ突出して邪魔となる部品が無いので、狭いパイプハウス内で結束金具１が邪魔とならず、パイプハウス内に栽培スペースを大きく確保することができ、栽培作業を円滑なものとすることができる。
【００３１】
以下、詳細に説明すると、係止片２は、図１および図２に示すように、一端側に設けた溝部材Ｆの溝８に引掛かるフック部２１と、他端側に設けたパイプ材Ｐパイプ材を噛みこんで溝部材Ｆ側へ向けて押圧する歯部２２と、引付片３に引掛かる爪部２３とを備えて構成されている。
【００３２】
また、係止片２には、一端側から中間部へかけて形成されてパイプ材Ｐの挿通を許容する切欠２４が設けられて、その一端側が二股状とされるとともに、この二股となった一端側を溝部材Ｆの溝８へ引掛けることができるようにそれぞれ彎曲させてフック部２１，２１が形成されている。
【００３３】
さらに、係止片２の他端側の全体が一端側へ向けてフック部２１，２１に対向するように彎曲されるとともに、その中央部は両端より長手方向に突出しており、この中央部の先端をパイプ材Ｐの噛み込みが可能なように凹状として設けて歯部２２が形成されている。さらには、係止片２の他端における両端のぞれぞれは、彎曲された方向とは逆方向となる外方へ向けて彎曲しており、これによって両端のそれぞれに爪部２３，２３が形成されている。
【００３４】
転じて、溝部材Ｆは、図１および図３にしめすように、断面箱型の本体５と、本体５の一端の両側に長手方向に沿って設けられる側壁部６，７とを備え、側壁部６，７によって溝８が形成されている。なお、溝８は、断面が略鳩尾状の蟻溝とされており、この溝８内にパイプハウス用のシートＳを挿入するとともに、シートＳの上から波形の係止線条９をその弾性に抗して強制的に変形せしめて嵌合させることで、溝部材ＦにシートＳを定着させることができるようになっている。
【００３５】
なお、パイプ材Ｐは、この実施の形態の場合、パイプハウスの骨組みとして使用されており、結束金具１でパイプ材Ｐと溝部材Ｆとを結束するとともに、溝部材ＦにシートＳを定着させることで、パイプハウスにシートＳを展帳することができる。そして、この実施の形態の場合には、溝部材Ｆは、箱型の本体５を備えており、アーチ状とされて複数並べて配置されるパイプ材Ｐに略直交して結束されることで、パイプハウスの骨組み、つまり構造材としても機能し、パイプハウスの強度を向上させることができる。
【００３６】
つづいて、引付片３は、図１および図４に示すように、一端側に設けた溝部材Ｆの溝８に引掛かるフック部３１と、他端側に設けた係止片２の爪部２３，２３に引掛かる係合部３２とを備えて構成されている。
【００３７】
詳しくは、引付片３の一端側を溝部材Ｆの溝８へ引掛けることができるようにそれぞれ彎曲させてフック部３１が形成されるとともに、他端側をフック部３１に対向する方向に彎曲させて係合部３２が形成されている。
【００３８】
そして、また、引付片３は、中央部にパイプ材Ｐの側方からの挿通を許容する切欠３３を備えており、上記係合部３２の先端は、切欠３３側へ向かうほど先細りとなるように傾斜されている。
【００３９】
以上のように構成される結束金具１でパイプ材Ｐと溝部材Ｆとを結束するには、まず、溝部材Ｆの背面側をパイプ材Ｐへ対面させて溝部材Ｆとパイプ材Ｐとを略直交させた状態として、係止片２の切欠２４内にパイプ材Ｐを挿入するようにして、溝部材Ｆの溝８へ係止片２のフック部２１，２１を引掛ける。この場合、具体的には、係止片２のフック部２１，２１を溝部材Ｆの溝８を形作る側壁部６の先端に引掛けることで、係止片２を溝部材Ｆへ引掛けることになる。
【００４０】
今度は、係止片２を避ける位置において引付片３のフック部３１を溝部材Ｆの溝８へ引掛けて、引付片３を溝部材Ｆへ引掛ける。この場合、具体的には、引付片３のフック部３１を溝部材Ｆの溝８を形作る側壁部７の先端に引掛けることで、引付片３を溝部材Ｆへ引掛けることになる。
【００４１】
そして、その状態から、引付片３を溝部材Ｆの長手方向方向へスライドさせてパイプ材Ｐ側へ移動させパイプ材Ｐを切欠３３内に挿入しつつ、引付片３の係合部３２の先端を係止片２の爪部２３，２３内に導入する。
【００４２】
この引付片３のパイプ材Ｐおよび係止片２側へのスライドに伴って、引付片３の係合部３２の先端が係止片２の爪部２３，２３内に入り込み、これによって、係止片２が溝部材Ｆ側へ引き付けられ、歯部２２がパイプ材Ｐを噛みこむと同時にパイプ材Ｐを抑えて溝部材Ｆ側へ押圧し、パイプ材Ｐと溝部材Ｆとが結束される。
【００４３】
そして、この実施の形態の場合、係止片２の一端側に切欠２４が設けられ、係止片２でパイプ材Ｐを抱持する格好となるので、パイプ材Ｐと溝部材Ｆの結束がより強固となる。さらに、係止片２の他端に歯部２２を設けているので、当該歯部２２でパイプ材Ｐの背面部を噛みこむことができ、パイプ材Ｐに対する接触面圧を高めて溝部材Ｆに対してパイプ材Ｐが溝部材Ｆの直交方向にずれてしまうような事態を確実に防止することが可能となる。
【００４４】
また、引付片３は、溝部材Ｆの溝８に引掛かるフック部３１と、係止片２に引掛かる係合部３２とパイプ材Ｐの側方からの挿入を許容する切欠３３とを備えており、引付片３を溝部材Ｆの溝８に引掛けてから係止片２の側方から溝部材Ｆ上をスライドさせることで係合部３２を係止片２に引掛けて、係止片２を溝部材Ｆ側へ引き付けることができるので、結束作業がより一層簡単となり作業時間も短縮される。
【００４５】
さらに、引付片３における係合部３２の先端が切欠３３側へ向かうほど先細りとなるように傾斜されていることから、これが楔効果をもたらして、爪部２３，２３内へ係合部３２が侵入すればするほど、係止片２を溝部材Ｆ側へ引き付けるように作用するので、係合部３２の係止片２への引掛けが容易、つまり、係合部３２の爪部２３，２３への導入が容易で、係止片２の溝部材Ｆ側への引付力をより高めることができ、パイプ材Ｐと溝部材Ｆとの結束を確実かつより強固にすることができる。
【００４６】
また、上述したところから理解できるように、この結束金具１にあっては、係止片２および引付片３が溝部材ＦのシートＳの定着用の溝８に直接引掛かるようになっているので、従来の結束金具とは異なり、溝部材Ｆの裏面に結束金具のみに必要となる溝を設ける必要が無いため、汎用性が向上し、たとえば、図５にしめすようなパイプハウスの構造部材としては機能しないシート定着用の蟻溝フレームとパイプ材Ｐとを結束することも可能である。
【００４７】
なお、本実施の形態においては、結束金具１は、パイプハウスのパイプ材ＰとシートＳの展帳用の溝部材Ｆとの結束するために使用されているが、他所に適用されるパイプ材と溝部材とを結束することができることは当然であり、パイプハウス用途に限定されない。したがって、溝部材をＣ型チャンネルといった溝を備えたチャンネル材としてもよい。また、上述したところでは、溝部材Ｆは、箱型の本体５の正面側に溝８を備えているが、これに限らず、図６に示すように、溝部材Ｆが本体５の両側面にそれぞれ係止片２および引付片３が引掛かる溝８ａ，８ｂを備えて構成されていてもよい。
【００４８】
つづいて、一実施の形態の一変形例における結束金具について説明する。この一変形例における結束金具も、一実施の形態の結束金具１と同様に、係止片４０と、引付片４１とを備えて構成されている。
【００４９】
係止片４０は、図７に示すように、一端側から中間部へかけて形成されてパイプ材Ｐの挿通を許容する切欠４０ａと、当該切欠４０ａによって二股状とされた一端側に設けた溝部材Ｆの溝８に引掛かるフック部４０ｂ，４０ｂと、他端側に設けたパイプ材Ｐパイプ材を噛みこんで溝部材Ｆ側へ向けて押圧する歯部４０ｃと、引付片３に引掛かる爪部４０ｄとを備えて構成されており、一実施の形態の係止片２と異なるのは、爪部４０ｄは、係止片４０の他端の一部となる図７中上端彎曲部位の略中央を外方へ切り起して形成されていることである。
【００５０】
具体的には、爪部４０ｄは、係止片４０の他端の一部となる図７中上端彎曲部位の略中央にコ字状に切欠き、切り残した部位を図７中上方へ起立させることで形成されている。
【００５１】
このように爪部４０ｄを形成する事によって、爪部４０ｄを係止片４０へ設ける加工が容易となるとともに加工コストも低減されるという優れた効果を奏することが出来る。
【００５２】
他方、引付片４１は、図８に示すように、一端側に設けた溝部材Ｆの溝８に引掛かるフック部４１ａと、他端側に設けた係止片４０の爪部４０ｄに引掛かる係合部４１ｂと、中央部に設けられてパイプ材Ｐの側方からの挿通を許容する切欠４１ｃとを備えて構成され、上記係合部４１ｂの先端が切欠４１ｃ側へ向かうほど先細りとなるように傾斜されるとともに、この一実施の形態の一変形例の結束金具における引付片４１にあっては、フック部４１ａの先端も係合部４１ｂと同様に、切欠４１ｃ側へ向かうほど先細りとなるように傾斜されている。
【００５３】
さらに、この図８に示した引付片４１にあっては、切欠４１ｃの中央部を通る仮想線ｈを中心にして形状が線対称となるようになっている。
【００５４】
このように、引付片４１を構成する事によって、一変形例の結束金具でパイプ材Ｐと溝部材Ｆとを結束する際に、フック部４１ａと上記係合部４１ｂとが機能的に互換性を備えることになるため、フック部４１ａと上記係合部４１ｂのいずれか一方を溝部材Ｆの溝８へ引掛けて、フック部４１ａと上記係合部４１ｂのいずれか他方を係止片４０の爪部４０ｄに引掛けるようにすることが可能となる。
【００５５】
すなわち、引付片４１をパイプ材Ｐの両側のどちら側からでも取り付けることができるようになって、結束作業が非常に簡単となる。詳しくは、溝部材Ｆの背面側をパイプ材Ｐへ対面させて溝部材Ｆとパイプ材Ｐとを略直交させた状態として、係止片４０の切欠４０ａ内にパイプ材Ｐを挿入するようにして、溝部材Ｆの溝８へ係止片４０のフック部４０ｂ，４０ｂを引掛けておき、その状態から、作業者が作業しやすい方向から引付片４１を溝部材Ｆの長手方向方向へスライドさせてパイプ材Ｐ側へ移動させパイプ材Ｐを切欠４１ｃ内に挿入しつつ、引付片３のフック部４１ａと上記係合部４１ｂの先端を係止片４０の爪部４０ｄ内に導入することで、結束作業を行う事ができる。
【００５６】
なお、一実施の形態の一変形例における結束金具にあっても、一実施の形態と同様にパイプ材Ｐを溝部材Ｆとを係止片４０と引付片４１の二つの部材で結束するようになっており、係止片４０を溝部材Ｆに引掛けたのち引付片４１を係止片４０と溝部材Ｆとに引掛けることでパイプ材Ｐと溝部材Ｆとを結束することができるので、一実施の形態と同様の作用効果を奏することができる。
【００５７】
さらに、引付片４１の形状が切欠４１ｃの中央部を通る仮想線ｈを中心にして形状が線対称となるようになっているので、フック部４１ａと上記係合部４１ｂとに機能上の互換性を持たせる場合にあっても、切欠４１ｃの図８中上下方向幅をパイプ材Ｐの挿入が可能となる限りにおいて短く設定することができるので引付片４１の強度面で有利となる。
【００５８】
以上で、本発明の実施の形態についての説明を終えるが、本発明の範囲は図示されまたは説明された詳細そのものには限定されないことは勿論である。
【図面の簡単な説明】
【００５９】
【図１】パイプ材と溝部材とを結束した状態における一実施の形態の結束金具の斜視図である。
【図２】一実施の形態の結束金具における係止片の斜視図である。
【図３】溝部材の斜視図である。
【図４】一実施の形態の結束金具における引付片の斜視図である。
【図５】パイプ材と他の溝部材とを結束した状態における結束金具の斜視図である。
【図６】パイプ材と別の溝部材とを結束した状態における結束金具の斜視図である。
【図７】一実施の形態の一変形例の結束金具における係止片の斜視図である。
【図８】一実施の形態の一変形例の結束金具における引付片の斜視図である。
【符号の説明】
【００６０】
１  結束金具
２，４０  係止片
２１，４０ｂ  係止片におけるフック部
２２，４０ｃ  係止片における歯部
２３，４０ｄ  係止片における爪部
２４，４０ａ  係止片における切欠
３，４１  引付片
３１，４１ａ  引付片におけるフック部
３２，４１ｂ  引付片における係合部
３３，４１ｃ  引付片における切欠
５  溝部材における本体
６，７  溝部材における側壁部
８，８ａ，８ｂ  溝部材における溝
９  係止線条
Ｆ  溝部材
Ｐ  パイプ材
Ｓ  シート
【図１】
2008154558.tif 000003
【図２】
2008154558.tif 000004
【図３】
2008154558.tif 000005
【図４】
2008154558.tif 000006
【図５】
2008154558.tif 000007
【図６】
2008154558.tif 000008
【図７】
2008154558.tif 000009
【図８】
2008154558.tif 000010